(57)【要約】【課題】扉体のホーム側又は軌道側への倒れを防ぐ倒れ止め手段を備える可動ホーム柵であって、消費電力が小さい可動ホーム柵を提供する。【解決手段】戸袋３と、戸袋３に進退自在に取り付けられた扉体４と、戸袋３と扉体４の間に介在して、扉体４を進退自在に支持するガイドレール５及びガイドブロック６と、扉体４に固定されるとともに、ガイドレール５及びガイドブロック６に対して上下方向に離隔配置されて、ガイドレール５と平行に延びるスライドレール１１と、基部が戸袋３に固定されるとともに、先端部がスライドレール１１に摺動自在に支持される倒れ止め金具１２と、を備えるとともに、扉体４は、フレーム８とフレーム８に固定されて透明パネル１０を保持するサッシ枠９を備えて、サッシ枠９は、スライドレール１１の少なくとも一部を構成する。【選択図】図１
2018008646.tif 000002
【特許請求の範囲】
【請求項１】
戸袋と、
前記戸袋に進退自在に取り付けられた扉体と、
前記戸袋と前記扉体の間に介在して、前記扉体を進退自在に支持する支持手段と、
前記扉体に固定されるとともに、前記支持手段に対して上下方向に離隔配置されて、前記扉体の進退方向に延在するスライドレールと、
基部が前記戸袋に固定されるとともに、先端部が前記スライドレールに摺動自在に支持される倒れ止め金具と、を備え、
前記扉体は、フレームと前記フレームに固定されて透明板を保持するサッシ枠を備え、
前記サッシ枠は、前記スライドレールの少なくとも一部を構成する、
可動ホーム柵。
【請求項２】
前記スライドレールの戸先側又は戸尻側にあって、前記スライドレールに隣接する前記フレームの一部を切り欠いた形状の切り欠き部を備えるとともに、
前記切り欠き部は、前記扉体の進退方向に直交する平面で切断された断面形状において、前記倒れ止め金具の先端部が噛合されて、前記倒れ止め金具が前記扉体の進退方向に摺動自在に支持する形状を備える、
請求項１に記載の可動ホーム柵。
【請求項３】
前記フレームは、前記サッシ枠の上方にある部位から下方に垂れ下がる垂れ壁を備えて、
前記倒れ止め金具の先端部は、前記垂れ壁と前記サッシ枠の間で挟持されて、前記扉体の進退方向に摺動自在に支持されるように構成されている、
請求項１又は請求項２に記載の可動ホーム柵。
【請求項４】
戸袋と、
前記戸袋に進退自在に取り付けられた扉体と、
前記戸袋と前記扉体の間に介在して、前記扉体を進退自在に支持する支持手段と、
前記戸袋に固定されるとともに、前記扉体の上下方向に離隔配置されて、前記扉体の進退方向に延在するスライドレールと、
基部が前記扉体の上面に固定されるとともに、先端部が前記スライドレールに摺動自在に支持される倒れ止め金具と、を備える、
可動ホーム柵。
【請求項５】
前記倒れ止め金具は、
基部が前記扉体の上面に固定されたステーと、
前記ステーの先端部において前記ステーの下面に間隔を空けて取り付けられた２枚の倒れ止め板を備え、
前記スライドレールは前記２枚の倒れ止め板に挟持される、
請求項４に記載の可動ホーム柵。
【発明の詳細な説明】
【技術分野】
【０００１】
本発明は、鉄道駅のプラットホーム等に設置される可動ホーム柵に関する。
【背景技術】
【０００２】
可動ホーム柵は鉄道駅のプラットホーム等に設置される一種の自動ドア装置である。一般に、可動ホーム柵は、プラットホームに固定された戸袋に、扉体を進退自在に取り付けて構成される。可動ホーム柵が設置されたプラットホームに列車が到着すると、可動ホーム柵の扉体は戸袋の中に引き込まれる。その結果、乗降口が開放されて乗客の列車への乗降が可能になる。乗客の乗降が終わると、扉体は戸袋の外に引き出される。その結果、乗降口が閉鎖され、その後、列車が発車する。そして、次の列車が到着するまで乗降口の閉鎖状態が維持される。
【０００３】
このような引き戸型の可動ホーム柵は、扉体が正立姿勢を保ったまま、進退するように構成する必要がある。特に、扉体が前後方向に、つまりホーム側又は軌道側に倒れないように構成する必要がある。扉体が前後方向に倒れると、扉体が戸袋と干渉して、扉体の動作が妨げられる。また、扉体が前後方向に振れると、異音が発生することがある。そのため、従来から、可動ホーム柵には、扉体の前後方向の倒れや振れを拘束する倒れ止め（振れ止め）として機能する部材が備えられている。以下、特許文献１を引用して、従来技術に係る可動ホーム柵の構成例を説明する。
【０００４】
特許文献１に記載の可動式ホーム柵（可動ホーム柵）は、プラットホームに固定される戸袋と、戸袋にスライド自在に取り付けられたスライド扉（扉体）を備えている。スライド扉の上部と下部には、スライド扉の幅方向（スライド扉が進退する方向）に延びる横長溝が形成されていて、上部の横長溝にはガイドレールが、下部の横長溝にはスライドレールが、それぞれ装着されている。戸袋のスライドレールに対応する位置には、スライドブロックが装着されている。スライドブロックはスライドレールに摺動自在に噛合されている。また、戸袋の、ガイドレールに対応する位置には、ガイドローラが取り付けられている。ガイドローラはガイドレールに当接して転動する。このように、スライド扉は、下部の横長溝と上部の横長溝に、スライドレールとガイドレールがそれぞれ装着されて、戸袋に対して進退するように構成されている。そのため、扉体は、正立姿勢を保ったまま、戸袋に対して進退する。
【先行技術文献】
【特許文献】
【０００５】
【特許文献１】特開２０１０−１２６１４４号公報
【発明の概要】
【発明が解決しようとする課題】
【０００６】
特許文献１に記載の可動ホーム柵は、扉体（スライド扉）の本体、つまり扉体（スライド扉）を構成する構造部材（強度部材）に横長溝が形成されている。このため、横長溝が形成されている部位において、構造部材（強度部材）の断面積が減少する。しかも、横長溝は構造部材（強度部材）の全幅に渉って延びている。そのため、扉体の強度が低下するという問題がある。また、横長溝を備えることによって強度が低下している場合に、必要な強度を確保しようとすれば、扉体の厚さを厚くする必要がある。あるいは、別の手段で扉体を補強する必要がある。その結果、扉体の質量が増加し、扉体の駆動に要する動力が大きくなり、消費電力が大きくなるという問題が生じる。
【０００７】
本発明は、このような背景に基づいてなされたものであり、扉体の倒れを防止する機能を備え、消費電力を抑えた可動ホーム柵を提供することを目的とする。
【課題を解決するための手段】
【０００８】
上記目的を達成するために、本発明に係る可動ホーム柵は、戸袋と、前記戸袋に進退自在に取り付けられた扉体と、前記戸袋と前記扉体の間に介在して、前記扉体を進退自在に支持する支持手段と、前記扉体に固定されるとともに、前記支持手段に対して上下方向に離隔配置されて、前記扉体の進退方向に延在するスライドレールと、基部が前記戸袋に固定されるとともに、先端部が前記スライドレールに摺動自在に支持される倒れ止め金具と、を備える。前記扉体は、フレームと前記フレームに固定されて透明板を保持するサッシ枠を備え、前記サッシ枠は、前記スライドレールの少なくとも一部を構成する。
【発明の効果】
【０００９】
本発明によれば、スライドレールの少なくとも一部がサッシ枠に形成されている。このため、スライドレール全体が扉体のフレームに形成される場合に比して、扉体の強度を低下させることなしに、扉体の倒れを防止することができる。従って、扉体を軽量で構成することが可能となり、可動ホーム柵の消費電力を抑えることができる。
【図面の簡単な説明】
【００１０】
【図１】本発明の第１の実施形態に係る可動ホーム柵の構成を説明する図であって、図１（ａ）は閉扉状態にある可動ホーム柵の外形図であり、図１（ｂ）は閉扉状態にある可動ホーム柵の戸袋のパネルを取り外して構成部品が見えるようにした説明図であり、図１（ｃ）は開扉状態にある可動ホーム柵の戸袋のパネルを取り外して構成部品が見えるようにした説明図である。
【図２】図１に示した可動ホーム柵を、図１（ｂ）においてＡ−Ａ’線で示した平面で切断した部分断面図である。
【図３】本発明の第２の実施形態に係る可動ホーム柵を、図２に準じた平面で切断した部分断面図である。
【図４】本発明の第３の実施形態に係る可動ホーム柵の構成を説明する図であって、図４（ａ）は可動ホーム柵が備える扉体の平面図であり、図４（ｂ）は扉体を、図４（ａ）において、Ｂ−Ｂ’線で示した平面で切断した部分断面図である。
【図５】本発明の第４の実施形態に係る可動ホーム柵の構成を説明する図であって、図５（ａ）は開扉状態にある可動ホーム柵の戸袋のパネルを取り外して構成部品が見えるようにした説明図であり、図５（ｂ）は可動ホーム柵が備える扉体を、図５（ａ）において、Ｃ−Ｃ’線で示した平面で切断した部分断面図である。
【発明を実施するための形態】
【００１１】
以下、本発明に係る可動ホーム柵の実施形態を、図面を参照しながら詳細に説明する。なお、各図面においては、同一または同等の部分に同一の符号を付している。
【００１２】
（第１の実施形態）
図１は、本発明の第１の実施形態に係る可動ホーム柵１の構成を説明する説明図である。図１（ａ）は、閉扉状態にある可動ホーム柵１の外形を示す外形図であり、図１（ｂ）は、閉扉状態にある可動ホーム柵１の戸袋の内部の状態を示す構成図であり、図１（ｃ）は、開扉状態にある可動ホーム柵１の戸袋の内部の状態を示す構成図である。
【００１３】
可動ホーム柵１は、図１（ａ）に示すように、鉄道駅のプラットホームの床面２に固定される戸袋３と、戸袋３に進退自在に取り付けられた扉体４を備えている。扉体４は、図１（ａ）において矢印ＦＷＤで示す方向に移動して、戸袋３から引き出される。また矢印ＢＷＤで示す方向に移動して、戸袋３に引き戻される。なお、図１（ａ）は扉体４が、矢印ＦＷＤの方向に移動して、戸袋３から完全に引き出された閉扉状態を示している。
【００１４】
まず、扉体４を進退自在に支持する機構について説明する。図１（ｂ）と図１（ｃ）に示すように、扉体４の下方には、ガイドレール５が配置されている。ガイドレール５は、扉体４の進退方向（図１（ａ）において矢印ＦＷＤあるいは矢印ＢＷＤで示す方向）に平行に延びていて、戸袋３に固定されている。また扉体４の戸尻側の端部（図１（ｂ）において、戸袋３の内部にある端部）には、ガイドブロック６が固定されている。ガイドブロック６には、２個のガイドローラ７が軸支されている。ガイドローラ７は扉体４の進退方向に間隔を空けて配置されて、一部がガイドブロック６の下方に露出している。そして、扉体４が戸袋３に対して進退する時に、ガイドローラ７は、ガイドレール５に当接して転動する。このように、扉体４は、ガイドローラ７を介してガイドレール５に支持される。また、ガイドローラ７は図示しない２枚のフランジを備え、この２枚のフランジでガイドレール５を挟むように構成されている。そのため、ガイドローラ７はガイドレール５に案内されて、扉体４の進退方向に転動する。このように構成されているので、ガイドレール５とガイドブロック６は扉体４を進退自在に支持する支持手段として機能する。
【００１５】
また、図１（ｂ）と図１（ｃ）に示すように、扉体４は、フレーム８とサッシ枠９と透明パネル１０を備えている。フレーム８は扉体４の輪郭を構成する額縁状の枠体であって、扉体４に強度を付与して、扉体４の形状を維持する構造部材（強度部材）である。サッシ枠９は透明パネル１０を保持する枠体であって、フレーム８に嵌めこまれている。サッシ枠９には透明パネル１０が嵌め込まれている。このように、扉体４は、透明パネル１０が嵌め込まれた窓を備えていて、サッシ枠９は透明パネル１０を支持する窓枠に相当する。
【００１６】
サッシ枠９は、横断面形（図１（ｂ）においてＡＡ’線で示す平面で切断して得られる断面形）において、下端が開放された溝形をなす部位を有していて、この部位がスライドレール１１を構成する。このように、この実施形態においては、スライドレール１１の全体がサッシ枠９で構成され、フレーム８には形成されていない。また、戸袋３には、倒れ止め金具１２が固定されている。倒れ止め金具１２の先端部は、スライドレール１１に支持されて、倒れ止め金具１２はスライドレール１１に対して、扉体４の進退方向に、相対的に摺動する。なお、スライドレール１１と倒れ止め金具１２の詳細な構成については、後述する。
【００１７】
次に、扉体４を戸袋３に対して進退させる駆動機構について説明する。図１（ｂ）と図１（ｃ）に示すように、戸袋３の内部には、駆動プーリ１３と従動プーリ１４が、扉体４の進退方向に間隔を開けて配置されている。駆動プーリ１３と従動プーリ１４の間には、タイミングベルト１５が掛け回されている。タイミングベルト１５はベルトクランプ１６を介して、扉体４に連結されている。そのため、図示しない電動機で駆動プーリ１３を回転駆動すると、タイミングベルト１５は駆動プーリ１３と従動プーリ１４の間で進退する。タイミングベルト１５が進退すると、ベルトクランプ１６も進退する。その結果、扉体４は戸袋３に対して進退する。
【００１８】
図１（ｂ）に示す状態において、駆動プーリ１３を時計回り方向（矢印ＣＷで示す方向）に回転させると、扉体４は、図１（ｂ）において右方向（図１（ａ）において矢印ＢＷＤで示す方向）に移動して、図１（ｃ）に示すように、戸袋３の中に引き込まれる。また、図１（ｃ）に示す状態において、駆動プーリ１３を反時計回り方向（矢印ＣＣＷで示す方向）に回転させると、扉体４は、図１（ｃ）において左方向（図１（ａ）において矢印ＦＷＤで示す方向）に移動して、図１（ｂ）に示すように、戸袋３の外に引き出される。なお、前述したように、扉体４は、ガイドレール５と倒れ止め金具１２を介して戸袋３に支持されているので、正立状態、つまり図１（ａ）に示した姿勢を保ったまま、戸袋３に対して進退する。
【００１９】
次に、スライドレール１１と倒れ止め金具１２の詳細な構成について説明する。図２は、可動ホーム柵１のスライドレール１１と倒れ止め金具１２の近傍の部位を、図１（ｂ）において、Ａ−Ａ’線で示す面で切断した断面図である。図２に示すように、スライドレール１１は、サッシ枠９の上部にあって、その断面形は溝形をなしていて、下端が開放されており、水平方向、即ち、扉体４の進退方向に延在している。倒れ止め金具１２は、その基部１２ａにおいて、戸袋３に固定され、基部１２ａから水平にアーム部１２ｂが延びている。アーム部１２ｂの先端部は直角に折り曲げられていて、アーム部１２ｂは、全体として、鈎型をなしている。アーム部１２ｂの先端部は、スライドレール１１の下面（開放面）から、スライドレール１１の中に差し込まれている。アーム部１２ｂの先端の左右両面には、摺動板１２ｃが貼り付けられている。摺動板１２ｃはスライドレール１１の内面に当接している。摺動板１２ｃは摩擦係数の小さい樹脂（ポリアセタール、ポリアミド、ポリテトラフルオロエチレン、ポリフェニレンサルファイド等）から構成される平板である。このように構成されているので、倒れ止め金具１２は、スライドレール１１の延在方向に自在に摺動することができる。
【００２０】
アーム部１２ｂの先端部の左右両面に貼り付けられた２枚の摺動板１２ｃはそれぞれ、スライドレール１１の左右の内壁に当接する。このため、扉体４の左右方向の移動、つまり扉体４のホーム側又は軌道側への移動が拘束され、扉体４はホーム側又は軌道側へ倒れることがない。従って、扉体４は、図２に示すように、正立した状態を保ったまま、戸袋３に対して進退する。このように、スライドレール１１と倒れ止め金具１２は、扉体４の倒れ止め手段として機能する。
【００２１】
また、可動ホーム柵１においては、スライドレール１１がサッシ枠９に組み込まれており、フレーム８には形成されていない。従って、扉体４の強度が、倒れ止め手段によって損なわれることがない。その結果、強度の低下を補うための、扉体４の増厚や補強が不要になるので、扉体４を軽量に構成することができる。
【００２２】
（第２の実施形態）
第１の実施形態では、スライドレール１１の全体がサッシ枠９で構成された。本発明は、これに限定されず、スライドレール１１の少なくとも一部がサッシ枠９で構成されるものであっても良い。例えば、フレーム８とサッシ枠９を組み合わせて、スライドレール１１を構成するようにしても良い。
【００２３】
以下、一例として、スライドレール１１の一部がフレーム８で構成され、スライドレール１１の他の部分がサッシ枠９で構成される第２の実施の形態を説明する。
【００２４】
本実施形態においては、図３に示すように、フレーム８には、サッシ枠９に当接する部位から下方に垂下する垂れ壁８ａが形成されている。垂れ壁８ａとサッシ枠９の間に形成され、水平方向、即ち、扉体４の進退方向に延在する溝形部がスライドレール１１として機能する。アーム部１２ｂの先端部の左面に貼り付けられた摺動板１２ｃはフレーム８の垂れ壁８ａに当接し、アーム部１２ｂの先端の右面に貼り付けられた摺動板１２ｃはサッシ枠９に当接する。従って、扉体４の左右方向の移動、つまり扉体４のホーム側又は軌道側への移動が拘束され、扉体４はホーム側又は軌道側へ倒れることがない。従って、扉体４は、図３に示すような、正立した状態を保ったまま、戸袋３に対して進退する。このように、第２の実施形態においても、スライドレール１１と倒れ止め金具１２は、扉体４の倒れ止め手段として機能する。
【００２５】
また、第２の実施形態に係る可動ホーム柵１は、垂れ壁８ａとサッシ枠９でスライドレール１１を構成しているので、スライドレール１１を取り付けるために横長溝をフレーム８に形成する必要がない。従って、扉体４の強度が損なわれることがない。その結果、強度の低下を補うための、扉体４の増厚や補強が不要になるので、扉体４を軽量に構成することができる。
【００２６】
（第３の実施形態）
第１及び第２の実施形態においては、スライドレール１１の長さはサッシ枠９の幅によって制限される。この場合、扉体４の可動距離がサッシ枠９のサイズにより制限されてしまう。この発明はこのような構成に限定されない。
【００２７】
例えば、図４（ａ）に示すように、フレーム８の、スライドレール１１の戸先側及び戸尻側にあって、スライドレール１１に隣接する部位を切り欠いて、切り欠き部８ｂを形成して、スライドレール１１の長さが実質的に延長されるようにしても良い。フレーム８の切り欠き部８ｂは、図４（ｂ）に示すように、全体として、鈎形を成していて、倒れ止め金具１２のアーム部１２ｂが、フレーム８の（図４（ｂ）における）左側面に設けられた開口８ｃを通って、切り欠き部８ｂの中に進入するように構成されている。そして、切り欠き部８ｂはアーム部１２ｂの先端が嵌め込まれるような形状を備えている。また、切り欠き部８ｂはスライドレール１１に隣接していて、スライドレール１１と連続している。そのため、スライドレール１１に支持されて、スライドレール１１に沿って自在に摺動する倒れ止め金具１２は、スライドレール１１の戸先側又は戸尻側の端面を越えて切り欠き部８ｂの中に進入することができる。切り欠き部８ｂの中に進入した、倒れ止め金具１２は切り欠き部８ｂに支持されて、扉体４の進退方向に自在に摺動する。その結果、倒れ止め金具１２の動作範囲が延長される。つまり、スライドレール１１の長さが実質的に延長される。
【００２８】
本実施形態に係る可動ホーム柵１は、スライドレール１１の一部がフレーム８に形成されているが、スライドレール１１の他の部分はサッシ枠９に形成されている。このため、スライドレール１１全体がフレーム８に形成される場合に比して強度が確保される。その結果、扉体４を軽量に構成することができる。
【００２９】
なお、フレーム８の、スライドレール１１の戸先側と戸尻側のスライドレール１１に隣接する部位の一方のみ、さらに、その一部のみ切り欠いて、切り欠き部を形成し、スライドレール１１の長さを実質的に延長してもよい。
【００３０】
（第４の実施形態）
第１ないし第３の実施形態においては、扉体４にスライドレール１１を備えて、戸袋３に倒れ止め金具１２を固定する例を示したが、スライドレール１１と倒れ止め金具１２の配置を逆にしても良い。つまり、図５（ａ）に示すように、扉体４に倒れ止め金具１２を固定して、戸袋３にスライドレール１１を備えるようにしても良い。
【００３１】
第４の実施形態においては、図５（ｂ）に示すように、倒れ止め金具１２は、扉体４（フレーム８）の上端面に固定されて軌道側に延びるステー１２ｄと、ステー１２ｄの軌道側の下面に間隔を空けて配置されて固定された１組の倒れ止め板１２ｅを備えている。また、各倒れ止め板１２ｅの内面（互いに対向する面）には、摺動板１２ｆが貼り付けられている。摺動板１２ｆは、摺動板１２ｃと同じく、摩擦係数の小さい樹脂（ポリアセタール、ポリアミド、ポリテトラフルオロエチレン、ポリフェニレンサルファイド等）から構成される平板である。また、スライドレール１１は、戸袋３に直接固定されたベース１１ａと、ベース１１ａの上面に固定されたレール本体１１ｂを備えている。そして、レール本体１１ｂは１組の倒れ止め板１２ｅの間に差し込まれて、その左右の側面が、それぞれ摺動板１２ｆに当接するので、扉体４の左右方向の移動、つまり扉体４のホーム側又は軌道側への移動が拘束される。そのため、扉体４はホーム側又は軌道側へ倒れることがない。つまり、扉体４は、図５（ｂ）に示すような、戸袋３に対して正立した状態を保ったまま、戸袋３に対して進退する。このように、第４の実施形態においても、スライドレール１１と倒れ止め金具１２は、扉体４の倒れ止め手段として機能する。
【００３２】
第４の実施形態に係る可動ホーム柵１は、扉体４（フレーム８）の上端面に倒れ止め金具１２を固定し、戸袋３にスライドレール１１を固定しているので、スライドレール１１を取り付けるための横長溝をフレーム８に形成する必要がない。そのため、扉体４の強度が損なわれることがない。強度の低下を補うための、扉体４の増厚や補強が不要になるので、扉体４を軽量に構成することができる。
【００３３】
以上説明したように、第１ないし第４の実施形態に係る可動ホーム柵１においては、スライドレール１１と倒れ止め金具１２でもって、扉体４のホーム側又は軌道側への倒れを防ぐ倒れ止め手段が構成される。そのため、正立状態を保ったまま、扉体４を戸袋３に対して進退させることができる。
【００３４】
また、第１ないし第３の実施形態に係る可動ホーム柵１のサッシ枠９が存在する部位においては、サッシ枠９が、スライドレール１１の少なくとも一部を構成するので、該部位においては、フレーム８の断面積を減少させるような加工をする必要がない。このように、第１ないし第３の実施形態に係る可動ホーム柵１においては、サッシ枠９の幅方向（扉体４の進退方向）のスパンの中央部の大きな範囲において、フレーム８の断面積を減少させるような加工が不要になる。従って、フレーム８のような扉体４の構造部材（強度部材）に、その全幅に渉る横長溝を形成する場合に比べて、扉体４の強度が向上する。扉体４の強度が向上すれば、扉体４の強度を補うために、扉体４（フレーム８、透明パネル１０）の厚さを増やしたり、補強したりする必要がなくなる（設けること自体は任意である）。そのため、扉体４を軽量に構成することができ、可動ホーム柵１の消費電力を小さくすることができる。
【００３５】
また、第４の実施形態に係る可動ホーム柵１は、スライドレール１１を戸袋３に固定するとともに、倒れ止め金具１２をフレーム８の上面に固定するので、フレーム８の断面積を減少させるような加工をする必要がない。したがって、第４の実施形態においても、フレーム８の断面積を減少させるような加工が不要になる。そのため、第４の実施形態に係る可動ホーム柵１においても、扉体４を軽量に構成することができ、可動ホーム柵１の消費電力を小さくすることができる。
【００３６】
第３の実施形態においては、フレーム８の、スライドレール１１の戸先側及び戸尻側にあって、スライドレール１１に隣接する部位を切り欠いて、切り欠き部８ｂを形成している。そして、切り欠き部８ｂは、倒れ止め金具１２を扉体４の進退方向に摺動自在に支持する断面形状を備えているので、スライドレール１１の長さが、実質的に延長される。その結果、扉体４の進退ストロークが拡大される。
【００３７】
なお、第１ないし第４の実施形態は、本発明の具体的な実施態様の例示であって、本発明の技術的範囲は第１ないし第４の実施形態によっては限定されない。本発明は、特許請求の範囲に記載された技術的思想の範囲において、自由に変形、応用、又は改良して実施することができる。
【００３８】
本発明に係る可動ホーム柵は、図１（ａ）〜（ｃ）に示したような、１基の戸袋に扉体を１枚だけ備えたものには限定されない。１基の戸袋に２枚の扉体を備えて、一方の扉体が戸袋の左側の端部から引き出され、他方の扉体が戸袋の左側の端部から引き出されるように構成されても良い。本発明に係る可動ホーム柵が備える駆動機構は、図１（ｂ），（ｃ）に示したベルト・プーリ機構には限定されない。本発明に係る可動ホーム柵は、ボールねじを利用する機構、ラック・ピニオン機構、リニアモータに依る直動機構、エアシリンダ・油圧シリンダを利用する機構、等々、さまざま機構を利用することができる。また、図１（ａ）に示した可動ホーム柵の外形は例示であって、本発明に係る可動ホーム柵の形状や寸法は、図１（ａ）によっては限定されない。
【００３９】
図１（ｂ），（ｃ）において、扉体４の戸尻側の端部にガイドブロック６が固定され、ガイドブロック６に、２個のガイドローラ７が軸支されている例を示したが、ガイドブロック６とガイドローラ７は任意的な構成要素である。つまり、本発明に係る可動ホーム柵は、ガイドブロック６とガイドローラ７を備えるものには限定されない。扉体４にガイドブロック６を備えないで、ガイドローラ７が扉体４に直接軸支されるようにしても良い。ガイドローラ７の代わりに、ガイドレール５と噛合して、ガイドレール５に沿って直動する直線駆動ベアリングユニットを備えても良い。
【００４０】
図１（ｂ），（ｃ）及び図５（ａ）において、ガイドレール５を戸袋３に固定した例を示したが、本発明に係る可動ホーム柵が備える支持案内手段はこのようなものには限定されない。ガイドレール５を扉体４に固定して、ガイドローラ７を戸袋３に軸支して、ガイドローラ７でガイドレール５を支持するようにしても良い。
【００４１】
図１（ｂ），（ｃ）において、ガイドレール５を扉体４の下方に配置して、スライドレール１１を扉体４の上部に配置した例を示した。つまり、スライドレール１１がガイドレール５の上方に配置される例を示した。しかしながら、本発明に係る可動ホーム柵はこのようなものには限定されない。スライドレール１１は支持案内手段（ガイドレール５とガイドブロック６）に対して上下方向に離隔配置されていれば十分である。したがって、スライドレール１１はガイドレール５の下方に配置されていても良い。ガイドレール５を扉体４の上方に配置して、スライドレール１１を扉体４の下部に配置するようにしても良い。
【００４２】
図２ないし図５に示されたスライドレール１１と倒れ止め金具１２の形状は例示であって、本発明に係る可動ホーム柵は、図２ないし図５に示されたスライドレール１１と倒れ止め金具１２を備えるものには限定されない。スライドレール１１と倒れ止め金具１２は自由に設計することができる。
【００４３】
図４（ａ）において、スライドレール１１の両側（戸先側と戸尻側）に切り欠き部８ｂを配置したが、第３の実施形態に係る可動ホーム柵１は、スライドレール１１の両側に切り欠き部８ｂが配置されたものには限定されない。切り欠き部８ｂは、スライドレール１１の戸先側と戸尻側のいずれか一方に配置されていてもよい。図４（ａ）に示される切り欠き部８ｂの横幅は、扉体４の戸先側あるいは戸尻側まで、実質的に延長するものには限定されない。切り欠き部８ｂの横幅は図４（ａ）に示されるものより短くても良い。つまり、切り欠き部８ｂは、フレーム８の戸先側あるいは戸尻側の端面に届くものでなくても良い。
【００４４】
図４（ａ）に図示されたスライドレール１１、つまり第３の実施形態に係るスライドレール１１は、第１の実施形態に係るスライドレール１１に準じて構成されていても良いし、第２の実施形態に係るスライドレール１１に準じて構成されていても良い。
【００４５】
第４の実施形態に係る可動ホーム柵１においては、サッシ枠９と透明パネル１０は任意的な構成要素である。第４の実施形態に係る可動ホーム柵１においては、サッシ枠９と透明パネル１０を省いても良い。
【００４６】
図２ないし図５において、倒れ止め金具１２に摺動板１２ｆを備える例を示したが、摺動板１２ｆは任意的な構成要素である。本発明に係る可動ホーム柵は、倒れ止め金具１２に摺動板１２ｆを備えるものには限定されない。本発明に係る可動ホーム柵は、倒れ止め金具１２に摺動板１２ｆを備えないものであっても良い。本発明に係る可動ホーム柵は、摺動板１２ｆの代わりに、ローラやベアリングを備えるものであっても良い。
【００４７】
また、サッシ枠９で保持される透明パネル１０は無色透明の板材には限定されない。透明パネル１０は着色されていても良いし、半透明であっても良い。また、透明パネル１０は全体として透明又は半透明であれば十分であり、一部に不透明な部分があっても良い。透明パネル１０は、金網入りガラス板のような、透明な素材と不透明な素材を組み合わせて構成される複合材料であっても良い。
【符号の説明】
【００４８】
１  可動ホーム柵、２ 床面、３  戸袋、４  扉体、５  ガイドレール、６  ガイドブロック、７  ガイドローラ、８  フレーム、８ａ  垂れ壁、８ｂ  切り欠き部、８ｃ   開口、９  サッシ枠、１０  透明パネル、１１  スライドレール、１１ａ  ベース、１１ｂ  レール本体、１２  倒れ止め金具、１２ａ  基部、１２ｂ  アーム部、１２ｃ  摺動板、１２ｄ  ステー、１２ｅ  倒れ止め板、１２ｆ  摺動板、１３  駆動プーリ、１４  従動プーリ、１５  タイミングベルト、１６  ベルトクランプ
【図１】
2018008646.tif 000003
【図２】
2018008646.tif 000004
【図３】
2018008646.tif 000005
【図４】
2018008646.tif 000006
【図５】
2018008646.tif 000007